(57)【特許請求の範囲】
【請求項１】
器具本体と、
前記器具本体の下面に取り付けられる環状のＬＥＤ基板を有し、前記ＬＥＤ基板の、前記器具本体の中央に近い側である内側において環状に配置される内環ＬＥＤと、前記内環ＬＥＤよりも前記器具本体の中央から遠い側である外側において環状に配置される外環ＬＥＤと、を有するＬＥＤユニットと、
前記ＬＥＤユニットの下方および側方を覆い、かつ透光性を有するセードと、
前記外環ＬＥＤが下方に発する光を側方に反射して、前記セードの前記外環ＬＥＤの下方に位置する部分の輝度の上昇を抑制すると共に、前記セードの、前記ＬＥＤユニットの側方に位置する部分の輝度を向上させる第１の反射面と、前記内環ＬＥＤが発する光の一部を反射して前記器具本体の中央側に向かわせ、前記セードの、前記器具本体の中央に近い部分の輝度を向上させる第２の反射面と、を有する反射部材と、
を備える照明器具。
【請求項２】
請求項１に記載の照明器具において、
前記反射部材の前記第１の反射面は、前記外環ＬＥＤが発した前記外環ＬＥＤの直下に向かう光が、前記セードの前記外環ＬＥＤの直下の部分に直接に到達しないように遮断する照明器具。
【請求項３】
請求項１に記載の照明器具において、
前記ＬＥＤ基板を覆うカバーに、前記反射部材が取り付けられる照明器具。
【請求項４】
請求項１または請求項２に記載の照明器具において、
前記反射部材は金属製、あるいは光の半透過性を有する樹脂製である照明器具。
【請求項５】
請求項１ないし請求項３のうちのいずれか１項に記載の照明器具において、
前記ＬＥＤ基板は、前記内環ＬＥＤが配置される第１ＬＥＤ基板と、前記外環ＬＥＤが配置される第２ＬＥＤ基板と、を有する照明器具。
【発明の詳細な説明】
【技術分野】
【０００１】
本発明は、ＬＥＤを光源として天井面に取り付けられる照明器具に関する。
【背景技術】
【０００２】
従来より、天井面に取り付けられる器具本体に、集光・拡散レンズを介してＬＥＤユニットが側方に向けて取り付けられ、ＬＥＤユニットの前面に光拡散カバーを取り付けた照明器具が知られている（例えば、非特許文献１、非特許文献２参照）。
非特許文献２は、器具本体の下面に反射板が取り付けられており、この反射板によりＬＥＤユニットから出射した光を拡散して照射する。
【先行技術文献】
【特許文献】
【０００３】
【非特許文献１】シャープ株式会社、“取り付けについて ｜ ＬＥＤシーリングライト”、［online］、平成２３年月日不明、シャープ株式会社、［平成２３年６月７日検索］、インターネット＜URL：http://www.sharp.co.jp/led_lighting/ceiling/installation/index.html＞
【非特許文献２】シャープ株式会社、“業界初ＬＥＤシーリングライト ６機種を発売・詳細｜ニュースリリース”、［online］、平成２２年８月１９日、シャープ株式会社、［平成２３年６月７日検索］、インターネット＜URL：http://www.sharp.co.jp/corporate/news/100819-a-2.html＞
【発明の概要】
【発明が解決しようとする課題】
【０００４】
非特許文献２は、集光・拡散レンズを介してＬＥＤユニットから器具本体の側方に向けて出射された光が反射板により拡散されるために、広範囲に照射でき、薄型化できる。
ところで、図８に示すように、非特許文献１と同様に、器具本体１０１にＬＥＤユニット１０２が取り付けられ、ＬＥＤユニット１０２の前面にセード１０３を取り付けた照明器具１００が提案されている。
【０００５】
このような従来の照明器具１００は、器具本体１０１の中央部に、ブロックカバー１０４が配置されている。
そして、このような従来の照明器具１００は、このブロックカバー１０４の下面に、ＬＥＤ１０５が封止されたＬＥＤ基板１０６が取り付けられる。ブロックカバー１０４には、電源ユニット１０７が収容される。
そして、このような従来の照明器具１００は、ブロックカバー１０４の下面に取り付けられたＬＥＤ１０５から出射した光がセード１０３を介して下面に照射される。
【０００６】
しかし、このような従来の照明器具１００は、ＬＥＤ１０５が器具本体１０１の中央部のブロックカバー１０４の下面に取り付けられているために、ＬＥＤ１０５の真下においてセード１０３までの距離が近くなる。
そのため、このような従来の照明器具１００は、セード１０３におけるＬＥＤ１０５の真下部分の輝度が、セード１０３の他の部分よりも大きくなって、輝度むらを生ずる。
【０００７】
本発明は、前述した課題を解決するためになされたものであり、その目的は、輝度むらがなく高品質にできる照明器具を提供することにある。
【課題を解決するための手段】
【０００８】
本発明に係る照明器具は、器具本体と、前記器具本体の下面に取り付けられる環状のＬＥＤ基板を有し、前記ＬＥＤ基板の、前記器具本体の中央に近い側である内側において環状に配置される内環ＬＥＤと、前記内環ＬＥＤよりも前記器具本体の中央から遠い側である外側において環状に配置される外環ＬＥＤと、を有するＬＥＤユニットと、前記ＬＥＤユニットの下方および側方を覆い、かつ透光性を有するセードと、前記外環ＬＥＤが下方に発する光を側方に反射して、前記セードの前記外環ＬＥＤの下方に位置する部分の輝度の上昇を抑制すると共に、前記セードの、前記ＬＥＤユニットの側方に位置する部分の輝度を向上させる第１の反射面と、前記内環ＬＥＤが発する光の一部を反射して前記器具本体の中央側に向かわせ、前記セードの、前記器具本体の中央に近い部分の輝度を向上させる第２の反射面と、を有する反射部材と、を備える。
【０００９】
本発明に係る照明器具は、前記反射部材の前記第１の反射面は、前記外環ＬＥＤが発した前記外環ＬＥＤの直下に向かう光が、前記セードの前記外環ＬＥＤの直下の部分に直接に到達しないように遮断する。
【００１１】
本発明に係る照明器具は、前記ＬＥＤ基板を覆うカバーに、前記反射部材が取り付けられる。
【００１２】
本発明に係る照明器具は、前記反射部材は金属製、あるいは光の半透過性を有する樹脂製である。
【００１３】
本発明に係る照明器具は、前記ＬＥＤ基板は、前記内環ＬＥＤが配置される第１ＬＥＤ基板と、前記外環ＬＥＤが配置される第２ＬＥＤ基板と、を有する。
【発明の効果】
【００１４】
本発明に係る照明器具によれば、輝度むらがなく高品質にできるという効果を奏する。
【図面の簡単な説明】
【００１５】
【図１】本発明に係る第１実施形態の照明器具の模式的底面図
【図２】本発明に係る第１実施形態の照明器具の模式的垂直断面図
【図３】本発明に係る第１実施形態の照明器具のＬＥＤユニット周りの一部破断垂直断面図
【図４】本発明に係る第１実施形態の照明器具の反射部材の側面図
【図５】本発明に係る第２実施形態の照明器具のＬＥＤユニット周りの一部破断垂直断面図
【図６】本発明に係る第３実施形態の照明器具のＬＥＤユニット周りの一部破断垂直断面図
【図７】本発明に係る第４実施形態の照明器具の模式的底面図
【図８】従来の照明器具の断面図
【発明を実施するための形態】
【００１６】
以下、本発明に係る複数の実施形態の照明器具について図面を参照して説明する。
（第１実施形態）
図１に示すように、本発明に係る第１実施形態の照明器具１０は、鋼板製で白色塗装が施された器具本体１１と、器具本体１１の下面に取り付けられたＬＥＤユニット１２と、ＬＥＤユニット１２の前面に取り付けられる透光セード１３とを備える。
ＬＥＤユニット１２は、円環形状に形成される器具本体１１の下面に、ガラスエポキシ樹脂製であって器具本体１１の外形に相似する円環形状に形成されたＬＥＤ基板１４を有する。
ＬＥＤユニット１２は、ＬＥＤ基板１４における外環部に複数のＬＥＤ１５が円環形状に配列された第１ＬＥＤユニット部１６を有し、ＬＥＤ基板１４における内環部に複数のＬＥＤ１７が円環形状に配列された第２ＬＥＤユニット部１８を有する。
【００１７】
図２に示すように、器具本体１１は、上部に不図示の引掛シーリング等の固定手段を介して天井面１に取り付けられる天板１９を有し、天板１９の外方に外側板２０を有し、天板１９の内方に内側板２１を有する。
透光セード１３は、例えば乳白色のアクリル樹脂製であって透光性を有し、器具本体１１の外側板２０と内側板２１とに当接されて装着される。
【００１８】
図３に示すように、照明器具１０は、器具本体１１の中央部側の下面に鋼板製の箱形状に形成されて白色塗装が施されたブロックカバー２２が取り付けられる。
ブロックカバー２２には、ＬＥＤ基板１４に有する不図示のプリント回路に電気的に接続される電源ユニット２３が収容される。
ブロックカバー２２は、白色塗装が施されているために、反射機能を有する。
ブロックカバー２２には、ＬＥＤユニット１２が下面に取り付けられる。
【００１９】
そして、ブロックカバー２２の下面に反射部材２４が取り付けられる。
反射部材２４は、例えば薄い金属製板部材により湾曲して形成された反射部材本体２５を有し、凹側の湾曲部分に凹側反射面２６を有し、凸側の湾曲部分に凸側反射面２７を有する。
反射部材２４は、凹側反射面２６が外環部の第１ＬＥＤユニット部１６の複数のＬＥＤ１５を覆うように取り付けられる。
反射部材２４は、凹側反射面２６および凸側反射面２７が、外環のＬＥＤ１５および内環のＬＥＤ１７の下方垂直方向に対して、０〜９０度の範囲を含んで設定される。
【００２０】
図４に示すように、反射部材２４は、反射板本体２５が、複数の等脚台形の反射片２８を配列させた形状に形成されており、反射片２８の間にスリット２９を有する。
なお、反射部材２４は、金属製に代えて半透過樹脂製であってもよく、また、波形状に形成されてもよい。
【００２１】
次に、照明器具１０の光学的特性について説明する。
電源ユニット２３に給電されることによりＬＥＤ基板１４のプリント回路から外環の第１ＬＥＤユニット部１６のＬＥＤ１５および内環の第２ＬＥＤユニット部１８のＬＥＤ１７に給電され、外環のＬＥＤ１５および内環のＬＥＤ１７が発光される。
外環のＬＥＤ１５からの光は、下方に向けて出射され、反射部材２４の凹側反射面２６により側方に向けて反射される。
従って、外環のＬＥＤ１５からの光は、ＬＥＤ１５の真下方向の透光セード１３に向けて出射されないので、透光セード１３の他の部分よりも輝度が大きくならずに、輝度むらが生じない。
【００２２】
また、内環のＬＥＤ１７からの光は、一部がＬＥＤ１７の下方に向けて出射されるとともに、反射部材２４の凸側反射面２７により器具本体１１の中央部に向けて反射される。
従って、内環のＬＥＤ１７からの光は、器具本体１１の中央部へ向けて出射されるとともに、ＬＥＤ１７の真下方向の透光セード１３に向けて多く出射されないので、透光セード１３の他の部分よりも輝度が大きくならずに、輝度むらが生じない。
【００２３】
このとき、反射部材２４に向けて進行した光のうちのスリット２９を透過した一定割合の光は、反射部材２４を透過して透光セード１３に向けて出射することにより、凹側反射面２６および凸側反射面２７により反射した光に対して反射光量が調整される。
【００２４】
以上、説明した本発明に係る第１実施形態の照明器具１０によれば、反射部材２４により、外環のＬＥＤ１５および内環のＬＥＤ１７から出射される光が下方垂直方向から傾斜して反射される。
従って、照明器具１０によれば、透光セード１３において、外環のＬＥＤ１５および内環のＬＥＤ１７の真下部分が他の部分よりも輝度が大きくならないので、輝度むらを防止でき、高品質にできる。
【００２５】
また、照明器具１０によれば、反射部材２４により、外環のＬＥＤ１５および内環のＬＥＤ１７の下方垂直方向に出射される光が遮断される。
従って、照明器具１０によれば、透光セード１３において、外環のＬＥＤ１５および内環のＬＥＤ１７の真下部分が他の部分よりも輝度が大きくならないので、輝度むらを防止できる。
【００２６】
そして、照明器具１０によれば、反射部材２４により、内環のＬＥＤ１７からの光の一部が器具本体１１の中央部に向けて反射される。
従って、照明器具１０によれば、器具本体１１の中央部を外側と同等に明るくすることにより、光のむらを防止できる。
【００２７】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２８】
図５に示すように、本発明に係る第２実施形態の照明器具３０は、ブロック形状に形成された反射部材本体３２を有し、反射部材本体３２の外側であって外環部の第１ＬＥＤユニット部１６の複数のＬＥＤ１５を覆う凹側反射面３３を有する反射部材３１を備える。
反射部材３１は、反射部材本体３２の内側であって内環部の第２ＬＥＤユニット部１８の複数のＬＥＤ１７に対応した平面反射面３４を有する。
【００２９】
照明器具３０は、外環のＬＥＤ１５からの光が、下方に向けて出射され、反射部材３１の凹側反射面３３により側方に向けて反射される。
従って、外環のＬＥＤ１５からの光は、ＬＥＤ１５の真下方向の透光セード１３に向けて出射されないので、透光セード１３の他の部分よりも輝度が大きくならずに、輝度むらが生じない。
【００３０】
また、内環のＬＥＤ１７からの光は、一部がＬＥＤ１７の下方に向けて出射されるとともに、反射部材３１の平面反射面３４により器具本体１１の中央部に向けて反射される。
従って、内環のＬＥＤ１７からの光は、器具本体１１の中央部へ向けて出射されるとともに、ＬＥＤ１７の真下方向の透光セード１３に向けて多く出射されないので、透光セード１３の他の部分よりも輝度が大きくならずに、輝度むらが生じない。
【００３１】
（第３実施形態）
次に、本発明に係る第３実施形態の照明器具について説明する。
図６に示すように、本発明に係る第３実施形態の照明器具４０は、ＬＥＤ基板１４を覆うカバー４１を備え、カバー４１の外側であってＬＥＤ基板１４の下方に反射部材４２を備える。
【００３２】
カバー４１は、例えば透明なアクリル樹脂製であって、箱形状に形成されており、外環のＬＥＤ１５と内環のＬＥＤ１７との間に逆Ｖ字形状の溝部４３が形成される。
反射部材４２は、カバー４１の溝部４３の外側の一方に取り付けられており、外環のＬＥＤ１５の下方に位置する傾斜反射面４４を有する。
傾斜反射面４４は、例えばアルミニウム材料の蒸着により形成される。
【００３３】
照明器具４０は、外環のＬＥＤ１５からの光が、下方に向けて出射され、反射部材４２の傾斜反射面４４により側方に向けて反射される。
従って、外環のＬＥＤ１５からの光は、ＬＥＤ１５の真下方向の透光セード１３に向けて出射されないので、透光セード１３の他の部分よりも輝度が大きくならずに、輝度むらが生じない。
【００３４】
第３実施形態の照明器具４０によれば、カバー４１が、外環のＬＥＤ１５および内環のＬＥＤ１７を覆うために、外環のＬＥＤ１５および内環のＬＥＤ１７に対する塵埃等の付着を防止できる。
【００３５】
また、照明器具４０によれば、カバー４１の外側において、反射部材４２がカバー４１の溝部４３の外側の一方に取り付けられるために、外環のＬＥＤ１５と内環のＬＥＤ１７とＬＥＤ基板１４とからの十分な絶縁距離を確保できる。
【００３６】
（第４実施形態）
次に、本発明に係る第４実施形態の照明器具について説明する。
図７に示すように、本発明に係る第４実施形態の照明器具５０は、外環部の第１ＬＥＤ基板５１と、内環部の第２ＬＥＤ基板５２とを備える。
そして、照明器具５０は、外環部の第１ＬＥＤ基板５１に、複数のＬＥＤ１５が円環形状に配列された第１ＬＥＤユニット部１６を有し、内環部の第２ＬＥＤ基板５２に、複数のＬＥＤ１７が円環形状に配列された第２ＬＥＤユニット部１８を有する。
【００３７】
第４実施形態の照明器具５０によれば、外環部の第１ＬＥＤ基板５１と、内環部の第２ＬＥＤ基板５２とを別体に備える。
従って、照明器具５０によれば、外環のＬＥＤ１５と内環のＬＥＤ１７との光色を異なるものとする場合等に、単一のＬＥＤ基板に異なる種類のＬＥＤを別々に取り付ける場合と比べて、組付けの間違い等を起こすことなく、組付作業を簡単にできる。
【００３８】
なお、本発明の照明器具において器具本体，透光セード，ＬＥＤ，電源ユニット等は、前述した各実施形態に限定されるものでなく、適宜な変形や改良等が可能である。
【符号の説明】
【００３９】
１０，３０，４０，５０  照明器具
１１  器具本体
１３  透光セード
１４  ＬＥＤ基板
１５，１７  ＬＥＤ
１６  第１ＬＥＤユニット（ＬＥＤユニット）
１８  第２ＬＥＤユニット（ＬＥＤユニット）
２４，３１，４２  反射部材
４１  カバー
５１  第１ＬＥＤ基板（ＬＥＤ基板）
５２  第２ＬＥＤ基板（ＬＥＤ基板）
【図１】
0005776016.tif 000002
【図２】
0005776016.tif 000003
【図３】
0005776016.tif 000004
【図４】
0005776016.tif 000005
【図５】
0005776016.tif 000006
【図６】
0005776016.tif 000007
【図７】
0005776016.tif 000008
【図８】
0005776016.tif 000009